(57)【要約】  フィルタ清掃装置（２０）は、フィルタ（２１）と、フィルタ（２１）に付着した埃を払うブラシ（２３）と、駆動モータ（２５）と、モータギア（６１）と、ブラシ駆動用ギア（６３）と、クラッチギア（６４）とを備えている。駆動モータ（２５）は、フィルタ（２１）の移動動作およびブラシ（２３）の回転動作を駆動する。クラッチギア（６４）は、モータギア（６１）とブラシ駆動用ギア（６３）との間に配置される。そして、フィルタ（２１）が第１の方向に移動するとき、クラッチギア（６４）は、ブラシ（２３）を所定の方向に回転させるように駆動する。また、フィルタ（２１）が第２の方向に移動するとき、クラッチギア（６４）は、ブラシ（２３）の回転を停止させるか、あるいは、ブラシ（２３）を前記所定の方向に回転させる。
2018179465.tif 000002
【特許請求の範囲】
【請求項１】
外部から取り込まれた空気が通過するフィルタと、
前記フィルタに付着した埃を払う埃取り部材と、
前記フィルタの移動動作および前記埃取り部材の回転動作を駆動する駆動モータと、
前記駆動モータに連結されたモータギアと、
前記駆動モータからの駆動力を前記埃取り部材へ伝達する回転駆動用ギアと、
前記回転駆動用ギアと前記モータギアとの間に配置されている伝達部材と
を備え、
前記駆動モータが前記フィルタを第１の方向に動かすときに、前記伝達部材は、前記埃取り部材を所定の方向に回転させるように前記回転駆動用ギアを駆動し、
前記駆動モータが前記フィルタを第２の方向に動かすときに、前記伝達部材は、前記回転駆動用ギアへの駆動力の伝達を停止するか、あるいは、前記埃取り部材を前記所定の方向に回転させるように前記回転駆動用ギアを駆動する、フィルタ清掃装置。
【請求項２】
前記伝達部材は、
前記モータギアを介して前記駆動モータの駆動力が伝達される第１ギアと、
前記第１ギアと同軸上に配置され、前記回転駆動用ギアへ駆動力を伝達する第２ギアと
を有し、
前記駆動モータが前記フィルタを前記第１の方向に動かすときには、前記駆動モータからの駆動力が前記第１ギアから前記第２ギアへ伝達され、
前記駆動モータが前記フィルタを前記第２の方向に動かすときには、前記第１ギアから前記第２ギアへ駆動力は伝達されない、
請求項１に記載のフィルタ清掃装置。
【請求項３】
前記第１ギアおよび前記第２ギアの少なくとも何れか一方には、他方のギアとの対向面に傾斜部および段差部が設けられているとともに、
前記他方のギアには、前記一方のギアとの対向面に段差部が設けられており、
前記駆動モータが前記フィルタを前記第１の方向に動かすときには、前記一方のギアの前記段差部と前記他方のギアの前記段差部とが当接する、
請求項２に記載のフィルタ清掃装置。
【請求項４】
前記伝達部材は、前記第１ギアと前記第２ギアとの間にワンウエイクラッチを有している、請求項２に記載のフィルタ清掃装置。
【請求項５】
前記伝達部材は、前記第１ギアと前記第２ギアとの間にコイルバネを有している、請求項２に記載のフィルタ清掃装置。
【請求項６】
前記駆動モータが前記フィルタを前記第２の方向に動かすときには、前記伝達部材は、前記回転駆動用ギアへの駆動力の伝達を停止させ、
前記駆動モータが前記フィルタを前記第２の方向へ移動させるときの移動速度は、前記駆動モータが前記フィルタを前記第１の方向へ移動させるときの移動速度よりも大きい、請求項１から５の何れか１項に記載のフィルタ清掃装置。
【請求項７】
請求項１から６の何れか１項に記載のフィルタ清掃装置を備えている空気調和機。
【発明の詳細な説明】
【技術分野】
【０００１】
本発明の一態様は、空気調和機などに備えられ、フィルタに付着した埃を除去するフィルタ清掃装置に関する。また、本発明の別の一態様は、フィルタ清掃装置を備えている空気調和機に関する。
【背景技術】
【０００２】
空気調和機には、室内機の空気吸入口に、吸い込む空気に含まれている埃を除去するためのフィルタが備えられている。従来の空気調和機においては、フィルタに付着した埃の清掃は、手動によって行われていた。すなわち、人手によりフィルタを室内機から外して、手動でフィルタを清掃する必要があった。【０００３】
しかし、室内機の設置箇所によってはフィルタを外す作業が困難であり、特に室内機が高所に設置されている場合には、フィルタの清掃は非常に手間のかかる作業である。そのため、昨今の空気調和機には、フィルタを外すことなく、装置内で自動的にフィルタを清掃する機能を備えているものもある。【０００４】
空気調和機に備えられているフィルタ清掃装置は、フィルタを所定の方向に移動させながら、フィルタに隣接して配置された回転ブラシによって、フィルタに付着した埃を掻き落とすような構成となっている。例えば、特許文献１に開示されている空気調和機用清掃装置３０は、エアフィルター２１に付着した塵埃を掻き取る回転清掃体３４と、回転清掃体３４で掻き取られた塵埃を収納する集塵ボックス３３とを備えている。回転清掃体３４は、駆動手段で回転駆動される。また、特許文献１に開示された空気調和機では、塵埃の除去運転時に、エアフィルター２１を、回転清掃体３４の駆動手段とは別の駆動手段２６によって移動させている。
【先行技術文献】
【特許文献】
【０００５】
【特許文献１】特開２００８−５７９２３号公報
【発明の概要】
【発明が解決しようとする課題】
【０００６】
以上のように、フィルタを移動させながら回転ブラシで埃を掻き落とすフィルタ清掃装置には、フィルタの移動動作を駆動するための駆動モータと、回転ブラシの回転動作を駆動するための駆動モータとが別々に設けられている。この別々に設けられた駆動モータを１つに集約することができれば、部品数を減らすことができ、駆動部を小型化することができる。【０００７】
しかしながら、フィルタの移動動作とブラシの回転動作とを同一の駆動モータで実行する場合、駆動モータの回転方向が問題となる。すなわち、フィルタの移動は、通常、往復動作であるため、駆動モータを正逆両方向に回転させる必要がある。これに対して、回転ブラシは、集塵ボックスに対して埃を掻き落とすために所定の一方向のみに回転させることが好ましい。【０００８】
そこで、本発明の一局面では、フィルタの移動動作とブラシの回転動作とを同一の駆動モータで駆動して、適切にフィルタ表面の埃を掻き落とすことのできるフィルタ清掃装置を提供することを目的とする。
【課題を解決するための手段】
【０００９】
本発明の一局面にかかるフィルタ清掃装置は、外部から取り込まれた空気が通過するフィルタと、前記フィルタに付着した埃を払う埃取り部材と、前記フィルタの移動動作および前記埃取り部材の回転動作を駆動する駆動モータと、前記駆動モータに連結されたモータギアと、前記駆動モータからの駆動力を前記埃取り部材へ伝達する回転駆動用ギアと、前記回転駆動用ギアと前記モータギアとの間に配置されている伝達部材とを備えている。そして、前記駆動モータが前記フィルタを第１の方向に動かすときに、前記伝達部材は、前記埃取り部材を所定の方向に回転させるように前記回転駆動用ギアを駆動し、前記駆動モータが前記フィルタを第２の方向に動かすときに、前記伝達部材は、前記回転駆動用ギアへの駆動力の伝達を停止するか、あるいは、前記埃取り部材を前記所定の方向に回転させるように前記回転駆動用ギアを駆動する。
【発明の効果】
【００１０】
本発明の一局面にかかるフィルタ清掃装置によれば、フィルタの移動とブラシの回転を同一の駆動モータで駆動させることができる。また、本発明の一局面にかかるフィルタ清掃装置によれば、フィルタの移動とブラシの回転を同一の駆動モータで駆動させながら、ブラシの回転を適切に制御し、フィルタ表面の埃を掻き落とすことができる。
【図面の簡単な説明】
【００１１】
【図１】本発明の一実施形態にかかる空気調和機の室内機の外観を示す斜視図である。
【図２】図１に示す室内機の前面パネルを開けた状態を示す斜視図である。
【図３】図１に示す室内機に備えられたフィルタ及びフィルタ清掃装置を示す斜視図である。
【図４】図１に示す室内機に備えられたフィルタ及びフィルタ清掃装置を示す斜視図であって、図３に示すフィルタ清掃装置の駆動部を分解して示す図である。
【図５】図１に示す室内機に備えられたフィルタ及びフィルタ清掃装置を示す断面図である。この図では、正方向（清掃時の方向）へフィルタを駆動するときの状態を示す。
【図６】図３に示すフィルタ清掃装置の駆動部に備えられた各ギアを示す側面図である。この図では、正方向へフィルタを駆動するときのギアの動作を示す。
【図７】図１に示す室内機に備えられたフィルタ及びフィルタ清掃装置を示す断面図である。この図では、逆方向（空調時の状態へフィルタを戻す方向）へフィルタを駆動するときの状態を示す。
【図８】図３に示すフィルタ清掃装置の駆動部に備えられた各ギアを示す側面図である。この図では、逆方向へフィルタを駆動するときのギアの動作を示す。
【図９】図３に示すフィルタ清掃装置の駆動部を示す平面図である。この図では、正方向へフィルタを駆動するときのギアの動作を示す。この図は、駆動部を下方から見た場合の図である。
【図１０】図３に示すフィルタ清掃装置の駆動部を示す平面図である。この図では、逆方向へフィルタを駆動するときのギアの動作を示す。この図は、駆動部を下方から見た場合の図である。
【図１１】図３に示すフィルタ清掃装置の駆動部に備えられたクラッチギアの第１ギアを示す斜視図である。
【図１２】図３に示すフィルタ清掃装置の駆動部に備えられたクラッチギアの第２ギアを示す斜視図である。
【図１３】第２の実施形態にかかるフィルタ清掃装置の駆動部を示す平面図である。この図では、正方向へフィルタを駆動するときのギアの動作を示す。
【図１４】第２の実施形態にかかるフィルタ清掃装置の駆動部を示す平面図である。この図では、逆方向へフィルタを駆動するときのギアの動作を示す。
【図１５】図１３に示す駆動部に備えられた各ギアを示す斜視図である。この図では、正方向へフィルタを駆動するときのギアの動作を示す。
【図１６】図１３に示す駆動部に備えられたクラッチギアの構成を示す断面図である。
【図１７】図１６に示すクラッチギアに備えられたワンウエイクラッチの構成を示す斜視図である。
【図１８】第３の実施形態にかかるフィルタ清掃装置の駆動部を示す平面図である。この図では、正方向へフィルタを駆動するときのギアの動作を示す。
【図１９】第３の実施形態にかかるフィルタ清掃装置の駆動部を示す平面図である。この図では、逆方向へフィルタを駆動するときのギアの動作を示す。
【図２０】図１８に示す駆動部に備えられた各ギアを示す斜視図である。
【図２１】図１８に示す駆動部に備えられたクラッチギアの構成を示す断面図である。
【図２２】第４の実施形態にかかるフィルタ清掃装置の駆動部に備えられた各ギアを示す側面図である。この図では、正方向へフィルタを駆動するときのギアの動作を示す。
【図２３】第４の実施形態にかかるフィルタ清掃装置の駆動部に備えられた各ギアを示す側面図である。この図では、逆方向へフィルタを駆動するときのギアの動作を示す。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
〔第１の実施形態〕
第１の実施形態では、フィルタを自動で清掃するためのフィルタ清掃装置を内蔵している空気調和機を例に挙げて説明する。図１は、本実施の形態に係る空気調和機の室内機１の外観構成を示す。図２には、室内機１の前面パネル１１を開けた状態を示す。図３には、室内機１に備えられたフィルタ２１およびフィルタ清掃装置２０を示す。
【００１４】
＜空気調和機の全体構成＞
先ず、本実施の形態にかかる空気調和機の全体構成について説明する。本実施の形態にかかる空気調和機は、セパレート式の空気調和機であって、主として、室内機１と室外機（図示せず）とから構成されている。
【００１５】
室外機には、圧縮機、室外側熱交換器、四方弁、室外ファンなどが備えられている。これらと室内機１側に備えられた室内側熱交換器（図示せず）とによって冷凍サイクルが形成される。
【００１６】
次に、室内機１の構成について、図１および図２を用いて説明する。図１に示すように、室内機１は、略直方体状の形状を有しており、通常、部屋の壁の上部に掛けられて使用される。上述したように、室内機１内には室内側熱交換器が備えられている。この室内側熱交換器は、冷媒配管（図示せず）を介して室外機側の圧縮機などと接続されている。これにより、この室内機１と室外機とは、冷凍サイクルを構成し、その結果、空気調和機として機能する。
【００１７】
室内機１は、主として、筐体１０、フィルタ清掃装置２０（図３参照）、フィルタ２１（図３参照）、および空気調和ユニット（図示せず）などを備えている。以下、これらの各構成部材についてそれぞれ詳述する。
【００１８】
筐体１０は、略直方体状の樹脂成形品である。図１に示すように、筐体１０は、主として、前面パネル１１、本体パネル１２、および背面パネル１３で構成されている。筐体１０の内部には、フィルタ清掃装置２０、フィルタ２１、空気調和ユニット、および電装品ユニットなどが収容されている。
【００１９】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、この上下方向に交差または直交する方向のことを、水平方向または左右方向という。また、正面から前面パネル１１を見た状態で、右側に位置する室内機１の側面を右側面とし、左側に位置する室内機１の側面を左側面とする。したがって、室内機１内を右方向へ移動するとは、室内機１の左側から右側へ移動すること意味し、室内機１内を左方向へ移動するとは、室内機１の右側から左側へ移動すること意味する。
【００２０】
筐体１０の上面には、吸込み口１４が設けられている。この吸込み口１４から、室内機１が設置されている室内の空気が室内機１内に取り込まれる。吸込み口１４の真下には、フィルタ２１が配置されている。
【００２１】
前面パネル１１は、筐体１０の前面（正面）に位置する。前面パネル１１は、本体パネル１２に対して開閉可能に取り付けられている。図２には、前面パネル１１が開いている状態を示す。図２に示すように、前面パネル１１の裏面側には、フィルタ清掃装置２０のダストボックス２２Ｒ・２２Ｌが配置されている。
【００２２】
また、本体パネル１２の下部には、吸込み口から吸い込んだ空気を送出する吹出口が設けられており、吹出口にフラップ１５が開閉可能に設けられている。フラップ１５には、駆動モータ（図示せず）が連結されている。駆動モータは、信号線を介して電装品ユニットに通信接続されており、空気調和機の運転中、電装品ユニット内の制御部からの制御信号に従ってフラップ１５の回動角度を調節する。
【００２３】
図示はしていないが、空気調和ユニットは、主として、室内側熱交換器とクロスフローファンとで構成されている。
【００２４】
室内側熱交換器は、複数の熱交換器を、クロスフローファンを覆う屋根（逆Ｖ字状）のように組み合わせたものである。なお、各熱交換器は、左右両端で複数回折り返された伝熱管に多数の放熱フィンが取り付けられたものであって、冷房運転時には蒸発器として機能し、暖房運転時には凝縮器として機能する。
【００２５】
クロスフローファンは、駆動モータ（図示せず）に連結されている。そして、クロスフローファンは、空気調和機の運転中、その駆動モータによって回転駆動され、室内の空気を筐体１０に吸い込んで室内側熱交換器に供給すると共に、室内側熱交換器で熱交換された空気を室内に送出する。
【００２６】
電装品ユニットは、例えば、筐体１０内の右側端部に配置される。電装品ユニットは、中央処理演算部（制御部）、信号送受信部などで構成されている。電装品ユニットは、信号線を介して、フィルタ清掃装置２０の駆動モータ２５（図３参照）、および冷凍サイクルの各構成部材などと接続されている。そして、電装ユニット内の制御部は、使用者の指示、および室温や外気温を検出する温度センサ等の各種センサの検出信号に基づいて、冷凍サイクルを制御し、冷房運転および暖房運転を行う。
【００２７】
フィルタ２１は、吸込み口１４と室内側熱交換器との間に設けられている。説明の便宜上、吸込み口１４と対向しているフィルタ２１の面を表面とし、室内側熱交換器と対向しているフィルタ２１の面をフィルタの裏面とする。フィルタ２１は、筐体１０に設けられた吸込み口１４の形状に沿うように配置されている。フィルタ２１は、吸込み口１４から室内機１の内部に取り込まれる空気に含まれる埃や塵を捕捉する。これにより、室内機１の内部に取り込まれる空気中の埃や塵の量を減らすことができる。
【００２８】
図示はしていないが、本実施形態にかかる室内機１には、２つのフィルタ２１が、左右に並んで配置されている。なお、空気調和機におけるフィルタの個数及び配置は、これに限定はされない。例えば、フィルタは、吸込み口１４の全領域をカバーするような大きさで構成されてもよい。
【００２９】
フィルタ清掃装置２０は、フィルタ２１に付着した埃や塵などを除去する装置である。フィルタ清掃装置２０には、矩形の板状を有するフィルタ２１が、フィルタ清掃装置２０の形状に沿うように取り付けられている。フィルタ清掃装置２０には、フィルタ２１上に付着した埃、塵、ゴミなどを収容するダストボックス２２が備えられている。ダストボックス２２は、各フィルタ２１に対してそれぞれ設けられている。すなわち、本実施形態の室内機１には、右側のフィルタ２１Ｒと左側のフィルタ２１Ｌのそれぞれに対して、ダストボックス２２が１個ずつ設けられている。なお、より具体的には、右側ダストボックスが２２Ｒで示され、左側ダストボックスが２２Ｌで示される。
【００３０】
＜フィルタ清掃装置について＞
続いて、室内機１に備えられているフィルタ２１およびフィルタ清掃装置２０のより具体的な構成について、図３から図５を参照しながら説明する。
【００３１】
図３には、右側のフィルタ２１Ｒを清掃するためのフィルタ清掃装置２０の構成を示す。左側のフィルタ２１Ｌを清掃するためのフィルタ清掃装置２０における各構成部材の構造および配置は、右側のフィルタ２１Ｒを清掃するためのフィルタ清掃装置２０と基本的に同様の構成を適用することができる。また、後述する駆動部６０は、左側のフィルタ２１Ｌを清掃するためのフィルタ清掃装置２０の場合には、左側のフィルタ２１Ｌの左側に取り付けられることが一般的である。その場合、左側のフィルタ２１Ｌを駆動する駆動部６０の構成は、右側のフィルタ２１Ｒを駆動する駆動部６０と左右対称になるように、ギア配置、モータ位置などが配置されることになる。本明細書中において、右側および左側のフィルタ清掃装置を区別して説明するときには、フィルタ清掃装置２０Ｒおよびフィルタ清掃装置２０Ｌとそれぞれ呼ぶ。なお、図３では、ダストボックス２２の図示は省略している。
【００３２】
図４には、フィルタ清掃装置２０の駆動部６０に備えられた各構成部材を分解した状態で示す。図５には、フィルタ清掃装置２０の断面構成を示す。図５では、フィルタ２１も図示している。
【００３３】
フィルタ清掃装置２０は、主として、フィルタ２１の前面側に配置されている。空気調和機が空調運転（冷房運転、暖房運転、除湿運転、送風運転など）を行っているときには、図５などに示すように、フィルタ２１は、その前方側の端部部分のみがフィルタ清掃装置２０と重なるような位置関係で配置されている。そして、フィルタ清掃装置２０によってフィルタ２１の清掃が行われる際には、フィルタ２１は駆動モータ２５によって駆動されて移動し、フィルタ２１の表面全体がフィルタ清掃装置２０のブラシ（埃取り部材）２３上を通過するように構成されている。
【００３４】
フィルタ２１は、メッシュ部５１と、メッシュ部５１の周囲を取り囲む枠部５２とで構成されている。
【００３５】
メッシュ部５１は、例えば、ポリエチレンテレフタレートで網目状に形成され、枠部５２は、例えば、ポリプロピレン樹脂などの合成樹脂で形成される。またあるいは、メッシュ部５１と枠部５２とは、ポリプロピレン樹脂等の合成樹脂により一体的に成形されてもよい。
【００３６】
また、枠部５２は、複数のリブ５３を有している。各リブ５３は、枠部５２の内部を縦または横に略等間隔に延びており、これにより、メッシュ部５１の表面は碁盤目状に区画される。この構成により、フィルタ２１の強度が高まる。
【００３７】
また、本実施形態では、縦方向に延びる枠部５２の裏面側に、複数のラック５４が形成されている。このようなラック５４は、フィルタ２１の移動を駆動する第２フィルタ駆動用ギア２４（２４Ｒ・２４Ｌ）と噛み合う。そして、駆動モータ２５によって第２フィルタ駆動用ギア２４が回転駆動されると、これに連動してフィルタ２１が移動する。すなわち、駆動モータ２５が運転を開始すると、フィルタ２１はフィルタ支持体（フィルタガイド）（図示せず）に沿って、室内機１内を前後方向に移動するとともに、室内機１内を上下方向に移動する。
【００３８】
次に、フィルタ清掃装置２０の構成について説明する。図３および図５に示すように、フィルタ清掃装置２０は、主な構成部材として、ダストボックス２２、ブラシ（埃取り部材）２３、第２フィルタ駆動用ギア２４（２４Ｒ・２４Ｌ）、背面ローラ４１、および駆動部６０などを備えている。
【００３９】
ダストボックス２２は、ブラシ２３によってフィルタ２１表面から払い取られた埃、塵、ゴミなどを、その内部に集積させる。ダストボックス２２は、フィルタ２１の表面側の前方部に、配置されている。そして、ダストボックス２２（具体的には、右側のダストボックス２２Ｒと左側のダストボックス２２Ｌ）は、フィルタ２１の左右方向（水平方向）に沿って、フィルタ２１の一端部から他端部に延びるように配置されている。ダストボックス２２は、フィルタ清掃装置２０に対して、取り外し可能に取り付けられている。
【００４０】
また、図５に示すように、ダストボックス２２には、ブラシ２３の先端部と接触する位置に板状の突起２７が形成されている。フィルタ清掃装置２０がフィルタ２１の清掃運転を行っているときに、ブラシ２３の先端部が突起２７と接触することで、ブラシ毛に付着した埃をダストボックス２２へ落とすことができる。なお、突起２７は櫛状であってもよい。
【００４１】
ブラシ２３は、概略的に、細長い円筒形状を有している。ブラシ２３は、ダストボックス２２の左右方向（水平方向）に沿って、各ダストボックス２２（２２Ｒおよび２２Ｌ）の一端部から他端部に延びるように配置されている。
【００４２】
より具体的には、ブラシ２３は、内部に回転軸を有している。そして、回転軸の表面にブラシ２３を構成するブラシ毛２３ａが埋め込まれている。ブラシ２３は、ブラシ毛２３ａの先端がフィルタ２１の表面と接触するように配置され、フィルタ２１表面に付着した埃を掻き取る。ブラシ毛２３ａは、例えば、適度な剛性を有する繊維（例えば、ナイロンなどの合成繊維、動物毛などの天然繊維）を複数本束ねて形成される。ブラシ２３は、ブラシ毛２３ａの代わりに、パイル状に起毛させた繊維（例えば、ナイロンなどの合成繊維、動物毛などの天然繊維）などで回転軸の表面を覆うことによって形成することもできる。
【００４３】
また、ブラシ２３の回転軸の両端部には、ギア部２３Ｒおよび２３Ｌがそれぞれ設けられている。右側に設けられたギア部２３Ｒは、ブラシ駆動用ギア（回転駆動用ギア）６３と噛み合い、駆動モータ２５からの駆動力が伝達される。これにより、フィルタ２１の清掃時、ブラシ２３は、例えば矢印Ｂ３方向に回転する（図５参照）。
【００４４】
また、左側のフィルタ２１Ｌ用のフィルタ清掃装置２０Ｌのブラシ２３は、フィルタ清掃装置２０Ｌに備えられた駆動モータ２５によって駆動される。
【００４５】
第２フィルタ駆動用ギア２４は、フィルタ２１の清掃時に、フィルタ２１を間に挟んで、ブラシ２３と対向するような位置に配置される。図３および図４に示すように、第２フィルタ駆動用ギア２４は、シャフト部２４ａとギア部２４Ｒおよび２４Ｌとで構成されている。
【００４６】
シャフト部２４ａは、フィルタ２１の左右方向（水平方向）に沿って配置されている。シャフト部２４ａは、駆動モータ２５によって駆動される。これにより、第２フィルタ駆動用ギア２４は回転する。
【００４７】
シャフト部２４ａの両端部には、ギア部２４Ｒおよび２４Ｌが設けられている。駆動モータ２５によって回転するシャフト部２４ａに連動して、ギア部２４Ｒおよび２４Ｌも回転する。ギア部２４Ｒおよび２４Ｌは、フィルタ２１の縦方向の枠部５２に設けられた複数のラック５４と対向するように配置されている。すなわち、フィルタ２１の各ラック５４は、第２フィルタ駆動用ギア２４のギア部２４Ｒおよび２４Ｌの各歯と噛み合う。これにより、駆動モータ２５によって第２フィルタ駆動用ギア２４が回転駆動されると、これに連動して、フィルタ２１がフィルタ支持体のガイド（図示せず）に沿って移動する。
【００４８】
背面ローラ４１は、フィルタ２１の清掃時に、フィルタ２１を間に挟んで、ブラシ２３と対向するような位置に配置される。例えば、背面ローラ４１は、第２フィルタ駆動用ギア２４のシャフト部２４ａのやや前方側の斜め下方に配置されている。背面ローラ４１は、細長い円筒形状（円柱形状）を有している。背面ローラ４１は、フィルタ２１の左右方向（水平方向）に沿って、フィルタ２１の一端部側から他端部側に延びるように配置されている。なお、背面ローラ４１は、側面視において、第２フィルタ駆動用ギア２４のギア部２４Ｒおよび２４Ｌの内側に位置するように配置されている（図５参照）。
【００４９】
背面ローラ４１は、長手方向の両端部にギアを有している。本実施形態では、背面ローラ４１は、フィルタ２１によって回転駆動される。すなわち、背面ローラ４１は、フィルタ２１の移動に連動して回転する。具体的には、背面ローラ４１の両端に設けられたギアが、フィルタ２１の枠部５２に形成されたラック５４と噛み合うことで、フィルタ２１の移動に連動して背面ローラ４１が回転する。
【００５０】
背面ローラ４１の表面には、ブラシが設けられている。背面ローラ４１のブラシは、例えば、ブラシ２３と同じ素材で形成することができる。
【００５１】
背面ローラ４１の表面のブラシは、フィルタ２１の裏面と接触するように配置されている。そして、清掃運転中、フィルタ２１の移動に連動して背面ローラ４１は回転する。これにより、ブラシ２３と背面ローラ４１との間に配置されたフィルタ２１では、裏面側の背面ローラ４１のブラシの作用によって、表面に付着している埃や塵などが、前方側へ押し出される。そのため、ブラシ２３によるフィルタ２１表面上での回転動作により、フィルタ２１上にある程度強力に付着している埃も掻き取ることができる。
【００５２】
＜駆動部について＞
続いて、駆動部６０のより具体的な構成について、図３から図８、図１１、および図１２を参照しながら説明する。図４に示すように、駆動部６０は、駆動モータ２５、モータギア６１、フィルタ駆動用ギア６２、ブラシ駆動用ギア（回転駆動用ギア）６３、およびクラッチギア（伝達部材）６４などを備えている。駆動部６０の各構成部材は、ケーシング（筐体ともいう）内に収容されていてもよい。また、別の態様では、駆動モータ２５などの一部の構成部材は、ケーシングの外部に配置され、残りの構成部材が、ケーシング内に収容されていてもよい。
【００５３】
駆動モータ２５は、正転逆転切り換え可能なモータであって、上述の通り、第２フィルタ駆動用ギア２４を回転させることによって、フィルタ２１を移動させる。なお、具体的には、駆動モータ２５が正転されると、フィルタ２１は、前方および下方に移動する（図５の矢印Ａ２方向）。その結果、フィルタ２１上に堆積している塵埃が下から順にブラシ２３によって払い落とされ、ダストボックス２２内に落とされる（図５参照）。このように、フィルタ清掃装置２０によってフィルタ２１が清掃されるときの駆動モータ２５の回転方向およびフィルタ２１の移動方向を、本明細書では正方向または第１の方向とする。
【００５４】
一方、駆動モータ２５が逆転されると、フィルタ２１は、後方および上方に移動する（図７の矢印Ｃ２方向）。その結果、清掃済みのフィルタ２１が空調運転時の規定の位置に戻される。このように、フィルタ２１を空調運転時の位置に戻すときの駆動モータ２５の回転方向およびフィルタ２１の移動方向を、本明細書では逆方向または第２の方向とする。すなわち、第２の方向は、第１の方向とは反対の方向となる。
【００５５】
モータギア６１は、駆動モータ２５に連結されている。モータギア６１には、駆動モータ２５による駆動力が直接伝達される。したがって、駆動モータ２５が正転（正方向に回転）すると、モータギア６１は、図６に示す矢印Ａ０方向に回転する。一方、駆動モータ２５が逆転（逆方向に回転）すると、モータギア６１は、図８に示す矢印Ｃ０方向に回転する。
【００５６】
フィルタ駆動用ギア６２は、モータギア６１と噛み合うように配置されている（図６参照）。そして、モータギア６１が矢印Ａ０方向に回転すると、フィルタ駆動用ギア６２は矢印Ａ１方向に回転する。一方、モータギア６１が矢印Ｃ０方向に回転すると、フィルタ駆動用ギア６２は矢印Ｃ１方向に回転する（図８参照）。
【００５７】
また、フィルタ駆動用ギア６２は、軸部６２ａを有している。軸部６２ａは、第２フィルタ駆動用ギア２４のギア部２４Ｒの中央に形成された穴に嵌まり込む。この穴は、シャフト部２４ａと同軸上に位置する。この構成により、フィルタ駆動用ギア６２が回転すると、その回転力が第２フィルタ駆動用ギア２４に伝達され、第２フィルタ駆動用ギア２４が回転する。
【００５８】
ブラシ駆動用ギア６３は、同軸上に配置された小ギア部６３ａと大ギア部６３ｂとを有している。図３に示すように、小ギア部６３ａは、クラッチギア６４（具体的には、クラッチギア６４の第２ギア６６）と噛み合うように配置されている。また、大ギア部６３ｂは、ブラシ２３のギア部２３Ｒと噛み合うように配置されている。
【００５９】
これにより、ブラシ駆動用ギア６３には、駆動モータ２５の駆動力がクラッチギア６４を介して伝達可能となる。また、ブラシ駆動用ギア６３は、駆動モータ２５からの駆動力をブラシ２３へ伝達し、ブラシ２３を回転させることができる。
【００６０】
クラッチギア６４は、駆動モータ２５に連結されたモータギア６１と、ブラシ駆動用ギア６３との間に配置されている。クラッチギア６４には、モータギア６１を介して駆動モータ２５の駆動力が伝達される。また、クラッチギア６４は、駆動モータ２５の駆動力をブラシ駆動用ギア６３へ伝達する。
【００６１】
クラッチギア６４は、第１ギア６５、第２ギア６６、および弾性部材６７を有している。
【００６２】
第１ギア６５は、モータギア６１と噛み合うように配置され、モータギア６１を介して駆動モータ２５からの駆動力が伝達される。第２ギア６６は、第１ギア６５と同軸上に（すなわち、各回転軸が重なるように）配置されるとともに、ブラシ駆動用ギア６３の小ギア部６３ａと噛み合うように配置されている。なお、本実施形態では、第１ギア６５と第２ギア６６とは略同じ径となっている。すなわち、第１ギア６５と第２ギア６６とは、互いに重なるように配置されている。
【００６３】
図１１には、第１ギア６５を示す。図１１では、第２ギア６６との対向面の構造を図示している。また、図１２には、第２ギア６６を示す。図１２では、第１ギア６５との対向面の構造を図示している。
【００６４】
図１１に示すように、第１ギア６５には、第２ギア６６との対向面に、傾斜を有する突起（傾斜部）６５ａが、ギアの回転軸を中心に円形状に形成されている。本実施形態では、突起６５ａには、段差部６５ｂが２個形成されている。２個の段差部６５ｂは、互いに対向する位置に配置されている。
【００６５】
また、図１２に示すように、第２ギア６６には、第１ギア６５との対向面に、傾斜を有する突起（傾斜部）６６ａが、ギアの回転軸を中心に円形状に形成されている。本実施形態では、突起６６ａには、段差部６６ｂが２個形成されている。２個の段差部６６ｂは、互いに対向する位置に配置されている。
【００６６】
また、第１ギア６５および第２ギア６６に設けられている各突起６５ａおよび６６ａは、第１ギア６５と第２ギア６６を同軸上に配置し、第１ギア６５と第２ギア６６とが接しているときに、突起６５ａと突起６６ａの位置が一致するように形成されている。
【００６７】
なお、本実施形態では、第１ギア６５に設けられている各突起６５ａと、第２ギア６６に設けられている突起６６ａとは、同じ傾斜角度になっている。これにより、第１ギア６５と第２ギア６６とが接しているときに、突起６５ａと突起６６ａとは確実に篏合する。また、互いの突起同士が接触したときの摩擦による摩耗を低減させることができる。また、各突起６５ａおよび６６ａに段差部が２個ずつ形成されていることで、２つの位置（第１の位置と、第１の位置から１８０度回転した位置）で段差部同士を篏合させることができる。
【００６８】
但し、本発明の別の態様では、第１ギア６５に設けられている突起６５ａと、第２ギア６６に設けられている突起６６ａとは、異なる傾斜角度であってもよい。また、例えば、各突起６５ａおよび６５ｂのうちの何れか一方のみが傾斜しており、他方は一定の高さの壁状の突起（段差部）とすることもできる。このように、第１ギア６５に設けられている突起６５ａの形状と、第２ギア６６に設けられている突起６６ａの形状とは、異なっていてもよい。
【００６９】
また、本実施形態では、段差部６５ｂの個数は、段差部６６ｂの個数と同じになっている。これにより、第１ギア６５と第２ギア６６とが接しているときに、突起６５ａと突起６６ａとが確実に篏合する。しかし、本発明の別の態様では、段差部の個数は異なっていてもよい。
【００７０】
また、段差部６５ｂの高さは、段差部６６ｂの高さと同じであってもよいし、異なっていてもよい。
【００７１】
弾性部材６７は、第１ギア６５の回転軸上に配置されている。本実施形態では、弾性部材６７は、コイルバネで形成されている。このコイルバネの一端が第１ギア６５の回転軸に接続され、他端が駆動部６０の構成部材を収容しているケーシングの壁面に接続されている。このコイルバネは、第１ギア６５と第２ギア６６との距離が縮まる方向に力を付与している。すなわち、弾性部材６７は、第１ギア６５を第２ギア６６へ近付ける方向に付勢している。
【００７２】
上記の構成を有する駆動部６０において、駆動モータ２５を正方向に回転させると、第１ギア６５は矢印Ｂ１方向（段差部６５ｂへ向けて突起の高さが高くなる方向）に回転する（図１１参照）。そして、第１ギア６５の突起６５ａは第２ギア６６の突起６６ａと接しながら円周状に回転し、第１ギア６５および第２ギア６６の互いの段差部同士が当接する（段差部分同士が対面する）と、第１ギア６５の回転力が第２ギア６６へ伝達され、第２ギア６６が回転をする。
【００７３】
ここで、第１ギア６５および第２ギア６６の互いの段差部同士が対面するとは、図９に示すように、段差部６５ｂの垂直面６５ｃ（図１１参照）と、段差部６６ｂの垂直面６６ｃ（図１２参照）とが接触することをいう。なお、垂直面６５ｃは、第１ギア６５の回転方向に略垂直に立設している。また、垂直面６６は、第２ギア６６の回転方向に略垂直に立設している。
【００７４】
一方、駆動モータ２５を逆方向に回転させると、第１ギア６５は矢印Ｄ１方向（段差部６５ｂから突起の高さが低くなる方向）に回転する（図１１参照）。このとき、第１ギア６５の突起６５ａは、第２ギア６６の突起６６ａと接しながら円周状に回転するが、第１ギア６５および第２ギア６６の互いの段差部同士が当接する（段差部分同士が対面する）ことはない。そのため、第１ギア６５の回転力が、第２ギア６６へ伝達されることはなく、第２ギア６６は回転をしない。
【００７５】
＜フィルタおよびブラシの動作について＞
続いて、フィルタ２１およびブラシ２３の動作について、図５から図１０を参照しながら説明する。
【００７６】
本実施形態にかかるフィルタ清掃装置２０において、フィルタ２１の清掃を行うとき、すなわち、駆動モータ２５がフィルタ２１を正方向（第１の方向）に動かすときに、クラッチギア６４は、ブラシ２３を所定の方向に回転させるようにブラシ駆動用ギア６３を駆動する。ここで、所定の方向とは、ブラシ２３がフィルタ２１上の埃をダストボックス２２へ払い落とす方向を意味する。また、フィルタ清掃装置２０が清掃を終了し、フィルタ２１を元の状態に戻すとき、すなわち、駆動モータ２５がフィルタ２１を逆方向（第２の方向）に動かすときには、クラッチギア６４は、ブラシ駆動用ギア６３への駆動力の伝達を停止する。
【００７７】
以下に、駆動モータ２５がフィルタ２１を正方向に動かすとき、および、逆方向に動かすときの動作について、具体的に説明する。
【００７８】
図５、図６、および図９には、フィルタ清掃時のフィルタ２１およびブラシ２３、並びに各ギアの動作を示す。このとき、駆動モータ２５は、正方向に回転する。駆動モータ２５の回転力は、モータギア６１に伝達される。そして、モータギア６１は、矢印Ａ０方向に回転する（図６参照）。モータギア６１が矢印Ａ０方向に回転すると、モータギア６１と噛み合うフィルタ駆動用ギア６２へ駆動力Ｆ１が伝達される（図９参照）。これにより、フィルタ駆動用ギア６２は、矢印Ａ１方向へ回転する（図６参照）。
【００７９】
フィルタ駆動用ギア６２の回転力は、軸部６２ａを介して第２フィルタ駆動用ギア２４へ伝達され、第２フィルタ駆動用ギア２４も矢印Ａ１方向へ回転する（図５参照）。第２フィルタ駆動用ギア２４が矢印Ａ１方向へ回転すると、フィルタ２１は矢印Ａ２方向（すなわち、ブラシ２３およびダストボックス２２へ近づく方向）へ移動する（図５参照）。このとき、フィルタ２１のラック５４と噛み合うように配置された背面ローラ４１は、フィルタ２１の動作に連動して、矢印Ａ３方向に回転する。
【００８０】
また、モータギア６１は、クラッチギア６４とも噛み合うように配置されている。そのため、駆動モータ２５が正方向に回転すると、駆動モータ２５の駆動力Ｆ２は、モータギア６１を介してクラッチギア６４へ伝達される（図９参照）。これにより、クラッチギア６４の第１ギア６５は、矢印Ｂ１方向へ回転する（図６参照）。
【００８１】
このとき、第１ギア６５の突起６５ａと、第２ギア６６の突起６６ａとが嵌合する。すなわち、第１ギア６５および第２ギア６６の互いの段差部同士が当接する（段差部６５ｂの垂直面６５ｃ（図１１参照）と、段差部６６ｂの垂直面６６ｃ（図１２参照）とが接触する）。第１ギア６５および第２ギア６６の突起同士が嵌合すると、第１ギア６５の駆動力Ｆ３が、第２ギア６６へ伝達される。そして、第２ギア６６へ伝達された駆動力Ｆ３は、第２ギア６６と噛み合うブラシ駆動用ギア６３の小ギア部６３ａへ駆動力Ｆ４として伝達される（図９参照）。
【００８２】
これにより、ブラシ駆動用ギア６３は、矢印Ｂ２方向へ回転する（図６参照）。そして、ブラシ駆動用ギア６３が矢印Ｂ２方向へ回転すると、ブラシ駆動用ギア６３の大ギア部６３ｂと噛み合うブラシ２３のギア部２３Ｒは、矢印Ｂ３方向へ回転する（図５参照）。これにより、フィルタ清掃時には、フィルタ２１から埃を掻き落とし、ダストボックス２２へ集積させる方向に、ブラシ２３を回転させることができる。
【００８３】
図７、図８、および図１０には、フィルタ戻し時のフィルタ２１およびブラシ２３、並びに各ギアの動作を示す。このとき、駆動モータ２５は、逆方向に回転する。駆動モータ２５の回転力は、モータギア６１に伝達される。そして、モータギア６１は、矢印Ｃ０方向に回転する（図８参照）。モータギア６１が矢印Ｃ０方向に回転すると、モータギア６１と噛み合うフィルタ駆動用ギア６２へ駆動力Ｆ１が伝達される（図１０参照）。これにより、フィルタ駆動用ギア６２は、矢印Ｃ１方向へ回転する（図８参照）。
【００８４】
フィルタ駆動用ギア６２の回転力は、軸部６２ａを介して第２フィルタ駆動用ギア２４へ伝達され、第２フィルタ駆動用ギア２４も矢印Ｃ１方向へ回転する（図７参照）。第２フィルタ駆動用ギア２４が矢印Ｃ１方向へ回転すると、フィルタ２１は矢印Ｃ２方向（すなわち、ブラシ２３およびダストボックス２２から離れる方向）へ移動する（図７参照）。このとき、フィルタ２１のラック５４と噛み合うように配置された背面ローラ４１は、フィルタ２１の動作に連動して、矢印Ｃ３方向に回転する（図７参照）。
【００８５】
また、駆動モータ２５が逆方向に回転すると、モータギア６１と噛み合うクラッチギア６４へ駆動モータ２５の駆動力Ｆ２が伝達される（図１０参照）。これにより、クラッチギア６４の第１ギア６５は、矢印Ｄ１方向へ回転する（図８参照）。
【００８６】
このとき、第１ギア６５は矢印Ｄ１方向（段差部６５ｂから突起の高さが低くなる方向）に回転する（図１１参照）。このとき、第１ギア６５の突起６５ａは、第２ギア６６の突起６６ａと接しながら円周状に回転するが、第１ギア６５および第２ギア６６の互いの段差部同士が当接する（段差部分同士が対面する）ことはない。そのため、第１ギア６５の回転力が、第２ギア６６へ伝達されることはなく、第２ギア６６は回転をしない（図１０参照）。言い換えれば、空回りする。したがって、駆動モータ２５がフィルタ２１を空調運転時の状態に戻すときには、ブラシ２３は回転しない。
【００８７】
もし、逆方向に回転する駆動モータ２５に連動して、ブラシ２３が矢印Ｂ３方向とは逆の方向に回転すると、フィルタ２１から掻き落とした埃が、フィルタ２１へ再付着してしまう可能性がある。これに対して、本実施形態にかかるフィルタ清掃装置２０によれば、駆動モータ２５が逆方向に回転するときには、ブラシ２３の回転を停止することができる。そのため、フィルタ２１を空調運転時の状態に戻すときに、ブラシ２３からフィルタ２１へ埃が再付着することを抑えることができる。
【００８８】
なお、本実施形態のフィルタ清掃装置２０においては、正方向に駆動モータ２５を回転させるときの回転速度と、逆方向に駆動モータ２５を回転させるときの回転速度とを異ならせてもよい。これにより、フィルタ清掃時（第１の方向への移動時）のフィルタ２１の移動速度Ｖ１と、フィルタ戻し時（第２の方向への移動時）のフィルタ２１の移動速度Ｖ２とを異ならせることができる。
【００８９】
例えば、駆動モータ２５は、移動速度Ｖ１よりも移動速度Ｖ２の方が大きく（速く）なるように、回転速度を変更させてもよい。これにより、フィルタ２１の清掃が終わった後に、フィルタ２１を元の状態へより短時間で戻すことができる。したがって、フィルタ清掃装置２０を用いたフィルタ清掃にかかる全体の所要時間を短くすることができる。
【００９０】
以上のように、本実施形態のフィルタ清掃装置２０によれば、一つの駆動モータ２５を用いて、フィルタ２１の移動とブラシの２３の回転の両方の動作を駆動することができる。そのため、駆動モータの数を減らすことができる。
【００９１】
また、フィルタ清掃装置２０によれば、フィルタ２１を空調運転時の状態に戻すときには、ブラシ２３の回転を停止させることができる。そのため、フィルタ２１からブラシ２３側へ掻き取られた埃が、フィルタ２１に再付着することを抑えることができる。
【００９２】
なお、本発明の別の一態様では、右側のフィルタ２１Ｒ用のフィルタ清掃装置２０Ｒの左側に設けられたギア部２３Ｌ及び第２フィルタ駆動用ギア２４Ｌが、左側のフィルタ２１Ｌ用のフィルタ清掃装置２０Ｌのブラシ２３の右側のギア部２３Ｒ及び第２フィルタ駆動用ギア２４Ｒとそれぞれ連結されていてもよい。これにより、フィルタ清掃装置２０Ｌのブラシ２３及び第２フィルタ駆動用ギア２４にも、駆動モータ２５からの駆動力が伝達される。この場合には、左側のフィルタ２１Ｌ用のフィルタ清掃装置２０Ｌに駆動部６０を設ける必要はない。
【００９３】
〔第２の実施形態〕
本発明の第２の実施形態について、図１３から図１７を参照しながら説明する。第２の実施形態では、空気調和機の室内機１内のフィルタ清掃装置の構成が、第１の実施形態とは異なっている。それ以外の構成については、第１の実施形態と同じ構成が適用できる。そこで、以下では、第２の実施形態にかかるフィルタ清掃装置１２０の構成を中心に説明する。第１の実施形態と同じ構成が適用できる構成部材については、第１の実施形態と同じ符号を付し、その説明を省略する。
【００９４】
図１３および図１４には、第２の実施形態にかかるフィルタ清掃装置１２０に備えられている駆動部１６０の構成を示す。これらの図では、駆動部１６０を下方から見た状態を示す。駆動部１６０は、主な構成部材として、駆動モータ２５、モータギア６１、フィルタ駆動用ギア６２、ブラシ駆動用ギア（回転駆動用ギア）６３、およびクラッチギア（伝達部材）１６４を備えている。
【００９５】
駆動モータ２５、モータギア６１、フィルタ駆動用ギア６２、およびブラシ駆動用ギア６３は、第１の実施形態と同様の構成が適用できるため、詳しい説明については省略する。
【００９６】
クラッチギア１６４は、駆動モータ２５に連結されたモータギア６１と、ブラシ駆動用ギア６３との間に配置されている。クラッチギア１６４には、モータギア６１を介して駆動モータ２５の駆動力が伝達される（図１３の矢印Ｆ２参照）。また、クラッチギア１６４は、駆動モータ２５の駆動力をブラシ駆動用ギア６３へ伝達する（図１３の矢印Ｆ３参照）。
【００９７】
図１６には、クラッチギア１６４の断面構成を示す。図１６に示すように、クラッチギア１６４は、第１ギア１６５、第２ギア１６６、およびワンウエイクラッチ１６７を有している。図１６に示すように、クラッチギア１６４などの駆動部１６０の各構成部材は、ケーシング（筐体）１７０内に収容されている。
【００９８】
第１ギア１６５は、モータギア６１と噛み合うように配置され、モータギア６１を介して駆動モータ２５からの駆動力が伝達される。第２ギア１６６は、第１ギア１６５と同軸上に配置される。より具体的には、第２ギア１６６の軸部１６６ａが、第１ギア１６５の中央部に形成された孔１６５ａに嵌まり込んでいる（図１６参照）。また、第２ギア１６６は、ブラシ駆動用ギア６３の小ギア部６３ａと噛み合うように配置されている。
【００９９】
第１の実施形態と同様に、第１ギア１６５と第２ギア１６６とは略同じ径となっている。すなわち、第１ギア１６５と第２ギア１６６とは、互いに重なるように配置されている。
【０１００】
さらに、図１６に示すように、第１ギア１６５の孔１６５ａには、ワンウエイクラッチ１６７が嵌まり込んでいる。ワンウエイクラッチ１６７は、第２ギア１６６の軸部１６６ａの周囲に配置されている。
【０１０１】
図１７には、ワンウエイクラッチ１６７を示す。ワンウエイクラッチ１６７は、略環状の部材である。環状のワンウエイクラッチ１６７の内周面には、ボールベアリング１６７ａが複数個形成されている。ワンウエイクラッチ１６７には、一般に知られているワンウエイクラッチの構造を適用することができる。
【０１０２】
フィルタ清掃装置１２０では、駆動モータ２５が正方向（図１５の矢印Ａ０方向）に回転すると、クラッチギア１６４の第１ギア１６５は、矢印Ｂ１方向へ回転する（図１５参照）。第１ギア１６５が矢印Ｂ１方向に回転すると、ワンウエイクラッチ１６７の作用によって、第１ギア１６５と第２ギア１６６とが連結された状態となる。これにより、モータギア６１から第１ギア１６５へ伝達された駆動力Ｆ２を、第２ギア１６６へ駆動力Ｆ３として伝達することができる（図１３参照）。そして、第２ギア１６６は、第１ギア１６５とともに矢印Ｂ１方向へ回転する（図１５参照）。
【０１０３】
そして、第２ギア１６６へ伝達された駆動力Ｆ３は、第２ギア１６６と噛み合うブラシ駆動用ギア６３の小ギア部６３ａへ駆動力Ｆ４として伝達される（図１３参照）。これにより、ブラシ駆動用ギア６３は、矢印Ｂ２方向へ回転する（図１５参照）。そして、ブラシ駆動用ギア６３が矢印Ｂ２方向へ回転すると、第１の実施形態と同様に、ブラシ２３のギア部２３Ｒは、矢印Ｂ３方向へ回転する（図５参照）。これにより、フィルタ清掃時には、フィルタ２１から埃を掻き落とし、ダストボックス２２へ集積させる方向に、ブラシ２３を回転させることができる。
【０１０４】
一方、駆動モータ２５が逆方向に回転すると、ワンウエイクラッチ１６７の作用によって、第１ギア１６５と第２ギア１６６との連結は解除される。そのため、モータギア６１から第１ギア１６５へ伝達された駆動力Ｆ２は、第２ギア１６６へは伝達されない（図１４参照）。したがって、駆動モータ２５がフィルタ２１を空調運転時の状態に戻すときには、ブラシ２３は回転しない。
【０１０５】
なお、駆動部１６０以外のフィルタ清掃装置１２０の構成については、第１の実施形態にかかるフィルタ清掃装置２０と同様の構成が適用できる。
【０１０６】
以上のように、本実施形態にかかるフィルタ清掃装置１２０によれば、駆動モータ２５が逆方向に回転するときには、ブラシ２３の回転を停止することができる。そのため、フィルタ２１を空調運転時の状態に戻すときに、ブラシ２３からフィルタ２１へ埃が再付着することを抑えることができる。
【０１０７】
〔第３の実施形態〕
本発明の第３の実施形態について、図１８および図２１を参照しながら説明する。第３の実施形態では、空気調和機の室内機１内のフィルタ清掃装置の構成が、第１の実施形態とは異なっている。それ以外の構成については、第１の実施形態と同じ構成が適用できる。そこで、以下では、第３の実施形態にかかるフィルタ清掃装置２２０の構成を中心に説明する。第１の実施形態と同じ構成が適用できる構成部材については、第１の実施形態と同じ符号を付し、その説明を省略する。
【０１０８】
図１８および図１９には、第３の実施形態にかかるフィルタ清掃装置２２０に備えられている駆動部２６０の構成を示す。これらの図では、駆動部２６０を下方から見た状態を示す。駆動部２６０は、主な構成部材として、駆動モータ２５、モータギア６１、フィルタ駆動用ギア６２、ブラシ駆動用ギア（回転駆動用ギア）６３、およびクラッチギア（伝達部材）２６４を備えている。
【０１０９】
駆動モータ２５、モータギア６１、フィルタ駆動用ギア６２、およびブラシ駆動用ギア６３は、第１の実施形態と同様の構成が適用できるため、詳しい説明については省略する。
【０１１０】
クラッチギア２６４は、駆動モータ２５に連結されたモータギア６１と、ブラシ駆動用ギア６３との間に配置されている。クラッチギア２６４には、モータギア６１を介して駆動モータ２５の駆動力が伝達される（図１８の矢印Ｆ２参照）。また、クラッチギア２６４は、駆動モータ２５の駆動力をブラシ駆動用ギア６３へ伝達する（図１８の矢印Ｆ３参照）。
【０１１１】
図２０には、クラッチギア２６４の内部に備えられている角バネ（コイルバネ）２６７を示す。また、図２１には、クラッチギア２６４の断面構成を示す。図２１に示すように、クラッチギア２６４は、第１ギア２６５、第２ギア２６６、および角バネ２６７を有している。
【０１１２】
第１ギア２６５は、モータギア６１と噛み合うように配置され、モータギア６１を介して駆動モータ２５からの駆動力が伝達される。第２ギア２６６は、第１ギア２６５と同軸上に配置される。より具体的には、第１ギア２６５の軸上に形成された突起部２６５ａと、第２ギア２６６の軸上に形成された突起部２６６ａとが、互いに対向する位置に配置されている（図２１参照）。また、第２ギア２６６は、ブラシ駆動用ギア６３の小ギア部６３ａと噛み合うように配置されている。
【０１１３】
第１の実施形態と同様に、第１ギア２６５と第２ギア２６６とは略同じ径となっている。すなわち、第１ギア２６５と第２ギア２６６とは、互いに重なるように配置されている。
【０１１４】
さらに、第１ギア２６５と第２ギア２６６との間には、角バネ２６７が配置されている。図２０および図２１に示すように、角バネ２６７は、第１ギア２６５の突起部２６５ａおよび第２ギア２６６の突起部２６６ａをそれぞれ取り囲むように取り付けられている。
【０１１５】
そして、角バネ２６７は、第１ギア２６５が矢印Ｂ１方向に回転したとき、第２ギア２６６の突起部２６６ａを締めつける力を発する。これにより、第１ギア２６５の回転力が第２ギア２６６に伝達される（図１８に示す矢印Ｆ３参照）。また、角バネ２６７は、第１ギア２６５が矢印Ｄ１方向に回転したとき、第２ギア２６６の突起部２６６ａを締めつける力を発生させない。すなわち、第１ギア２６５の突起部２６５ａと第２ギア２６６の突起部２６６ａとの連結が解除された状態となる。これにより、第１ギア２６５の回転力は第２ギア２６６に伝達されない（図１９参照）。
【０１１６】
なお、角バネ２６７は、その一方の端部が第１ギア２６５に対して固定されていてもよい。これにより、第１ギア２６５の回転力を、より確実に角バネ２６７に伝達することができる。
【０１１７】
なお、本実施形態では、角バネ２６７を用いてクラッチギア２６４を形成しているが、本発明の別の一態様では、丸形断面のコイルバネを用いてもよい。
【０１１８】
以上より、図２０に示すように、駆動モータ２５が正方向（矢印Ａ０方向）に回転すると、クラッチギア２６４の第１ギア２６５は、矢印Ｂ１方向へ回転する。第１ギア２６５が矢印Ｂ１方向に回転すると、角バネ２６７の作用によって、第１ギア２６５と第２ギア２６６とが連結された状態となる。これにより、モータギア６１から第１ギア２６５へ伝達された駆動力Ｆ２を、第２ギア２６６へ駆動力Ｆ３として伝達することができる（図１８参照）。そして、第２ギア２６６は、第１ギア１６５とともに矢印Ｂ１方向へ回転する。
【０１１９】
そして、第２ギア２６６へ伝達された駆動力Ｆ３は、第２ギア２６６と噛み合うブラシ駆動用ギア６３の小ギア部６３ａへ駆動力Ｆ４として伝達される（図１８参照）。これにより、ブラシ駆動用ギア６３は、矢印Ｂ２方向へ回転する（図２０参照）。そして、ブラシ駆動用ギア６３が矢印Ｂ２方向へ回転すると、第１の実施形態と同様に、ブラシ２３のギア部２３Ｒは、矢印Ｂ３方向へ回転する（図５参照）。これにより、フィルタ清掃時には、フィルタ２１から埃を掻き落とし、ダストボックス２２へ集積させる方向に、ブラシ２３を回転させることができる。
【０１２０】
一方、図２０に示すように、駆動モータ２５が逆方向（矢印Ｃ０方向）に回転すると、角バネ２６７の作用によって、第１ギア２６５と第２ギア２６６との連結は解除される。そのため、モータギア６１から第１ギア２６５へ伝達された駆動力Ｆ２は、第２ギア２６６へは伝達されない（図１９参照）。したがって、駆動モータ２５がフィルタ２１を空調運転時の状態に戻すときには、ブラシ２３は回転しない。
【０１２１】
なお、駆動部２６０以外のフィルタ清掃装置２２０の構成については、第１の実施形態にかかるフィルタ清掃装置２０と同様の構成が適用できる。
【０１２２】
以上のように、本実施形態にかかるフィルタ清掃装置２２０によれば、駆動モータ２５が逆方向に回転するときには、ブラシ２３の回転を停止することができる。そのため、フィルタ２１を空調運転時の状態に戻すときに、ブラシ２３からフィルタ２１へ埃が再付着することを抑えることができる。
【０１２３】
〔第４の実施形態〕
本発明の第４の実施形態について、図２２および図２３を参照しながら説明する。上述の第１から第３の実施形態では、駆動モータがフィルタを第２の方向（すなわち、フィルタを元の位置に戻す方向）に動かすときに、ブラシの回転を停止するという構成例について説明した。
【０１２４】
しかし、本発明の一態様では、駆動モータがフィルタを第２の方向（すなわち、フィルタを元の位置に戻す方向）に動かすときに、ブラシ駆動用ギア（本実施形態では、ギア部３２３Ｒ）へ駆動力を伝達し、フィルタを第１の方向へ動かすときと同じ方向にブラシを回転させるという構成も可能である。そこで、第４の実施形態では、この構成について説明する。
【０１２５】
第４の実施形態では、空気調和機の室内機１内のフィルタ清掃装置の構成が、第１の実施形態とは異なっている。それ以外の構成については、第１の実施形態と同じ構成が適用できる。そこで、以下では、第４の実施形態にかかるフィルタ清掃装置３２０の構成を中心に説明する。第１の実施形態と同じ構成が適用できる構成部材については、第１の実施形態と同じ符号を付し、その説明を省略する。
【０１２６】
図２２には、第４の実施形態にかかるフィルタ清掃装置３２０に備えられている駆動部３６０の構成を示す。駆動部３６０は、主な構成部材として、駆動モータ２５、モータギア３６１、フィルタ駆動用ギア３６２、ブラシ駆動用ギア（回転駆動用ギア）３６３、および駆動力伝達ギア（伝達部材）３６４を備えている。
【０１２７】
駆動モータ２５、モータギア３６１、およびフィルタ駆動用ギア３６２は、第１の実施形態の駆動モータ２５、モータギア６１、およびフィルタ駆動用ギア６２とそれぞれ同様の構成が適用できる。
【０１２８】
駆動力伝達ギア３６４は、モータギア６１とブラシ駆動用ギア３６３との間に配置され、駆動モータ２５からの駆動力をブラシ駆動用ギア３６３へ伝達する。また、駆動力伝達ギア３６４は、ブラシ駆動用ギア３６３を介さずに、ブラシ２３のギア部３２３Ｒへ直接駆動力を伝達させることもできる。本実施形態では、駆動力伝達ギア３６４は、１個のギアで形成されている。
【０１２９】
ブラシ駆動用ギア３６３は、同軸上に配置された小ギア部６３ａと大ギア部（図示せず）とを有している。本実施形態では、ブラシ駆動用ギア３６３は、室内機１内を左右方向に移動可能に構成されている。
【０１３０】
そして、駆動モータ２５が正方向に回転するときには、ブラシ駆動用ギア３６３は室内機１内を右側（図２２において手前側）へ移動する。これにより、ブラシ駆動用ギア３６３の小ギア部６３ａと駆動力伝達ギア３６４とが噛み合い、駆動モータ２５からの駆動力がブラシ駆動用ギア３６３へ伝達される。一方、駆動モータ２５が逆方向に回転するときには、ブラシ駆動用ギア３６３は室内機１内を左側（図２３において奥側）へ移動する。これにより、小ギア部３６３ａと駆動力伝達ギア３６４との噛み合いが外れ、駆動モータ２５からの駆動力がブラシ駆動用ギア３６３へ伝達されなくなる。
【０１３１】
また、フィルタ清掃装置３２０においては、ブラシ２３の回転軸の両端部に、ギア部３２３Ｒおよび３２３Ｌがそれぞれ設けられている。左側のギア部３２３Ｌについては、第１の実施形態と同様の構成が適用できる。一方、右側のギア部３２３Ｒは、室内機１内の左右方向に位置を変更することができるように構成されおり、駆動モータ２５が逆方向に回転するときには、ギア部３２３Ｒは、ブラシ２３の回転軸から軸方向に突出し、室内機１内を右側（図２３において手前側）へ移動する。これにより、ブラシ２３のギア部３２３Ｒと駆動力伝達ギア３６４とが噛み合い、駆動モータ２５からの駆動力がブラシ２３へ伝達される。
【０１３２】
以上より、図２２に示すように、駆動モータ２５が正方向（矢印Ａ０方向）に回転すると、駆動力伝達ギア３６４は、矢印Ｂ１方向へ回転する。そしてこのとき、ブラシ駆動用ギア３６３は室内機１内を右側に移動するとともに、ブラシ２３のギア部３２３Ｒは、室内機内を左側へ移動する。すなわち、駆動力伝達ギア３６４とブラシ駆動用ギア３６３の小ギア部３６３ａとが噛み合うとともに、ブラシ２３のギア部３２３Ｒは、図３に示す状態と略同様の状態となる。
【０１３３】
これにより、ブラシ駆動用ギア３６３は、矢印Ｂ２方向へ回転する。そして、ブラシ駆動用ギア３６３が矢印Ｂ２方向へ回転すると、第１の実施形態と同様に、ブラシ２３のギア部３２３Ｒは、矢印Ｂ３方向へ回転する。これにより、フィルタ清掃時には、フィルタ２１から埃を掻き落としダストボックス２２へ集積させる方向に、ブラシ２３を回転させることができる。
【０１３４】
また、図２３に示すように、駆動モータ２５が逆方向（矢印Ｃ０方向）に回転すると、駆動力伝達ギア３６４は、矢印Ｄ１方向へ回転する。そしてこのとき、ブラシ駆動用ギア３６３は室内機１内を左側に移動するとともに、ブラシ２３のギア部３２３Ｒは、室内機内を右側へ移動する。すなわち、駆動力伝達ギア３６４とブラシ駆動用ギア３６３の小ギア部３６３ａとの噛み合いが外れるとともに、駆動力伝達ギア３６４とブラシ２３のギア部３２３Ｒとが噛み合った状態となる。
【０１３５】
これにより、駆動モータ２５の駆動力が、駆動力伝達ギア３６４からブラシ２３のギア部３２３Ｒへ伝達される。そして、ブラシ２３のギア部３２３Ｒは、駆動モータ２５が正方向に回転するときと同じ方向、すなわち、矢印Ｄ２方向へ回転する。これにより、駆動モータ２５がフィルタ２１を空調運転時の状態に戻すときにも、駆動モータ２５が正方向に回転するときと同じ方向に、ブラシ２３を回転させることができる。このように、本実施形態では、ブラシ２３のギア部３２３Ｒが、駆動モータ２５からの駆動力をブラシ２３へ伝達するためのもう一つの回転駆動用ギアとして機能する。
【０１３６】
上記以外のフィルタ清掃装置３２０の構成については、第１の実施形態にかかるフィルタ清掃装置２０と同様の構成が適用できる。
【０１３７】
上記の構成によれば、フィルタ２１の移動動作中、ブラシ２３を常に同じ方向に回転させて、フィルタ２１上の埃をダストボックス２２へ掻き落とすことができる。
【０１３８】
（まとめ）
本発明の一局面にかかるフィルタ清掃装置は、外部から取り込まれた空気が通過するフィルタと、前記フィルタに付着した埃を払う埃取り部材と、前記フィルタの移動動作および前記埃取り部材の回転動作を駆動する駆動モータと、前記駆動モータに連結されたモータギアと、前記駆動モータからの駆動力を前記埃取り部材へ伝達する回転駆動用ギアと、前記回転駆動用ギアと前記モータギアとの間に配置されている伝達部材とを備えている。そして、前記駆動モータが前記フィルタを第１の方向に動かすときに、前記伝達部材は、前記埃取り部材を所定の方向に回転させるように前記回転駆動用ギアを駆動し、前記駆動モータが前記フィルタを第２の方向（第１の方向とは異なる、具体的には、第１の方向とは反対の方向）に動かすときに、前記伝達部材は、前記回転駆動用ギアへの駆動力の伝達を停止するか、あるいは、前記埃取り部材を前記所定の方向に回転させるように前記回転駆動用ギアを駆動する。
【０１３９】
上記の構成において、埃取り部材を所定の方向に回転させるとは、例えば、フィルタに付着した埃を掻き落とし、埃をダストボックスへ集積させる方向へ埃取り部材を回転させることを意味する。また、第１の方向とは、例えば、フィルタ清掃時にフィルタを移動させる方向を意味する。また、第２の方向とは、例えば、第１の方向とは反対の方向、あるいは、フィルタを空調運転時の位置へ戻す方向を意味する。
【０１４０】
上記の本発明の一局面にかかるフィルタ清掃装置において、前記伝達部材は、前記モータギアを介して前記駆動モータの駆動力が伝達される第１ギアと、前記第１ギアと同軸上に配置され、前記回転駆動用ギアへ駆動力を伝達する第２ギアとを有していてもよい。そして、前記駆動モータが前記フィルタを前記第１の方向に動かすときには、前記駆動モータからの駆動力が前記第１ギアから前記第２ギアへ伝達され、前記駆動モータが前記フィルタを前記第２の方向に動かすときには、前記第１ギアから前記第２ギアへ駆動力は伝達されないという構成であってもよい。
【０１４１】
上記の本発明の一局面にかかるフィルタ清掃装置において、前記第１ギアおよび前記第２ギアの少なくとも何れか一方には、他方のギアとの対向面に傾斜部および段差部が設けられているとともに、前記他方のギアには、前記一方のギアとの対向面に段差部が設けられており、前記駆動モータが前記フィルタを前記第１の方向に動かすときには、前記一方のギアの前記段差部と前記他方のギアの前記段差部とが当接するように構成されていてもよい。
【０１４２】
上記の本発明の一局面にかかるフィルタ清掃装置において、前記伝達部材は、前記第１ギアと前記第２ギアとの間にワンウエイクラッチを有していてもよい。またあるいは、前記伝達部材は、前記第１ギアと前記第２ギアとの間にコイルバネを有していてもよい。
【０１４３】
上記の本発明の一局面にかかるフィルタ清掃装置において、前記駆動モータが前記フィルタを前記第２の方向に動かすときには、前記伝達部材は、前記回転駆動用ギアへの駆動力の伝達を停止させてもよい。そして、前記駆動モータが前記フィルタを前記第２の方向へ移動させるときの移動速度は、前記駆動モータが前記フィルタを前記第１の方向へ移動させるときの移動速度よりも大きくてもよい。
【０１４４】
また、本発明のもう一つの局面にかかる空気調和機は、上記の何れかのフィルタ清掃装置を備えている。
【０１４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１４６】
１        ：（空気調和機の）室内機
２０      ：フィルタ清掃装置
２１      ：フィルタ
２２      ：ダストボックス
２３      ：ブラシ（埃取り部材）
２５      ：駆動モータ
６０      ：駆動部
６１      ：モータギア
６２      ：フィルタ駆動用ギア
６３      ：ブラシ駆動用ギア（回転駆動用ギア）
６４      ：クラッチギア（伝達部材）
６５      ：第１ギア
６５ａ    ：（第１ギアの）傾斜部
６５ｂ    ：（第１ギアの）段差部
６６      ：第２ギア
６６ａ    ：（第２ギアの）傾斜部
６６ｂ    ：（第２ギアの）段差部
１２０    ：フィルタ清掃装置
１６０    ：駆動部
１６４    ：クラッチギア（伝達部材）
１６５    ：第１ギア
１６６    ：第２ギア
１６７    ：ワンウエイクラッチ
２２０    ：フィルタ清掃装置
２６０    ：駆動部
２６４    ：クラッチギア（伝達部材）
２６５    ：第１ギア
２６６    ：第２ギア
２６７    ：角バネ（コイルバネ）
３２０    ：フィルタ清掃装置
３６０    ：駆動部
３６４    ：駆動力伝達ギア（伝達部材）
３２３Ｒ  ：（ブラシの）ギア部
【図１】
2018179465.tif 000003
【図２】
2018179465.tif 000004
【図３】
2018179465.tif 000005
【図４】
2018179465.tif 000006
【図５】
2018179465.tif 000007
【図６】
2018179465.tif 000008
【図７】
2018179465.tif 000009
【図８】
2018179465.tif 000010
【図９】
2018179465.tif 000011
【図１０】
2018179465.tif 000012
【図１１】
2018179465.tif 000013
【図１２】
2018179465.tif 000014
【図１３】
2018179465.tif 000015
【図１４】
2018179465.tif 000016
【図１５】
2018179465.tif 000017
【図１６】
2018179465.tif 000018
【図１７】
2018179465.tif 000019
【図１８】
2018179465.tif 000020
【図１９】
2018179465.tif 000021
【図２０】
2018179465.tif 000022
【図２１】
2018179465.tif 000023
【図２２】
2018179465.tif 000024
【図２３】
2018179465.tif 000025
【国際調査報告】
2018179465.tif 000026
2018179465.tif 000027
2018179465.tif 000028
2018179465.tif 000029